(57)【特許請求の範囲】
【請求項１】
移動通信システムにおける移動端末機（ＭＳ）のアップリンク電力を制御する方法であって、
経路損失、アップリンク雑音及び干渉レベル、ターゲット信号対干渉雑音比（ＳＩＮＲ）、及びオフセットに基づいてアップリンク電力を決定するステップを有し、
初期オフセット値は、初期レンジングプロセスが完了するまでのランプアップ(ramp-up)の回数と、ランプアップに対する電力ステップサイズ(power step size)と、基地局（ＢＳ）から受信された電力調整値とに基づいて決定されることを特徴とする移動端末機のアップリンク電力制御方法。
【請求項２】
前記初期オフセット値は、次の数式で表現されることを特徴とする請求項１に記載の移動端末機のアップリンク電力制御方法。
数式（１）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ここで、ＯｆｆｓｅｔＤａｔａは、前記アップリンク電力がデータ信号に適用される場合、前記データ信号に対する初期オフセット値を示し、ＯｆｆｓｅｔＣｏｎｔｒｏｌは、前記アップリンク電力が制御信号に適用される場合、前記制御信号に対する初期オフセット値を示し、Ｌは、前記経路損失を示し、ＳＩＮＲＴａｒｇｅｔは、前記ターゲットＳＩＮＲを示し、ＮＩは、前記アップリンク雑音及び干渉レベルを示し、ＮｕｍＳｕｂｃａｒｒｉｅｒＲＮＧは、初期レンジングに使用される帯域幅に含まれるサブキャリアの総数を示し、ＰＴＸ＿ＩＲ＿Ｆｉｎａｌは、次の数式で表現される。
数式（２）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
ここで、ＰＴＸ＿ＩＲ＿ＭＩＮは、前記移動端末機が初期レンジングコードを前記基地局に送信する際に使用される電力を示し、Ｎは、前記ランプアップの回数を示し、Ｐ＿ＩｎｉｔｉａｌＳｔｅｐは、電力ステップサイズを示し、Ｄｅｌｔａ＿ＩｎｉｔｉａｌＢＳは、前記電力調整値を示し、Ｄｅｌｔａ＿ＩｎｉｔｉａｌＢＳ（ｍ）は、前記ＭＳで受信されるｍ番目の電力調整値を示す。
【請求項３】
前記ターゲットＳＩＮＲは、非同期レンジングチャネルのターゲットＳＩＮＲを有することを特徴とする請求項１に記載の移動端末機のアップリンク電力制御方法。
【請求項４】
前記オフセットは、ダウンリンク経路損失とアップリンク経路損失間の差を補償する値を有することを特徴とする請求項１に記載の移動端末機のアップリンク電力制御方法。
【請求項５】
前記初期オフセット値を含むレンジング要求（ＲＮＧ−ＲＥＱ）メッセージを前記基地局に送信するステップをさらに有することを特徴とする請求項１に記載の移動端末機のアップリンク電力制御方法。
【請求項６】
前記アップリンク雑音及び干渉レベル、及び前記オフセットは、前記基地局から受信されることを特徴とする請求項１に記載の移動端末機のアップリンク電力制御方法。
【請求項７】
前記電力調整値は、レンジング肯定認知（ＲＮＧ−ＡＣＫ）メッセージを通して受信されることを特徴とする請求項１に記載の移動端末機のアップリンク電力制御方法。
【請求項８】
移動通信システムにおける基地局（ＢＳ）が移動端末機（ＭＳ）のアップリンク電力制御をサポートする方法であって、
電力調整値を前記移動端末機に送信するステップと、
前記移動端末機から初期オフセット値を受信するステップとを有し、
前記初期オフセット値は、初期レンジングプロセスが完了するまでのランプアップ(ramp-up)の回数と、ランプアップに対する電力ステップサイズ(power step size)と、前記電力調整値とに基づいて決定されることを特徴とする基地局が移動端末機のアップリンク電力制御をサポートする方法。
【請求項９】
アップリンク雑音及び干渉レベル、ターゲット信号対干渉雑音比（ＳＩＮＲ）、及びオフセットを前記移動端末機に送信するステップをさらに有し、
前記アップリンク電力は、経路損失、前記アップリンク雑音及び干渉レベル、前記ターゲットＳＩＮＲ、及び前記オフセットに基づいて決定され、
前記経路損失は、前記移動端末機により測定されることを特徴とする請求項８に記載の基地局が移動端末機のアップリンク電力制御をサポートする方法。
【請求項１０】
前記初期オフセット値は、次の数式で表現されることを特徴とする請求項９に記載の基地局が移動端末機のアップリンク電力制御をサポートする方法。
数式（３）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ここで、ＯｆｆｓｅｔＤａｔａは、前記アップリンク電力がデータ信号に適用される場合、前記データ信号に対する初期オフセット値を示し、ＯｆｆｓｅｔＣｏｎｔｒｏｌは、前記アップリンク電力が制御信号に適用される場合、前記制御信号に対する初期オフセット値を示し、Ｌは、前記経路損失を示し、ＳＩＮＲＴａｒｇｅｔは、前記ターゲットＳＩＮＲを示し、ＮＩは、前記アップリンク雑音及び干渉レベルを示し、ＮｕｍＳｕｂｃａｒｒｉｅｒＲＮＧは、初期レンジングに使用される帯域幅に含まれるサブキャリアの総数を示し、ＰＴＸ＿ＩＲ＿Ｆｉｎａｌは、次の数式で表現される。
数式（４）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
ここで、ＰＴＸ＿ＩＲ＿ＭＩＮは、前記移動端末機が初期レンジングコードを前記基地局に送信する際に使用される電力を示し、Ｎは、前記ランプアップ(ramp-up)の回数を示し、Ｐ＿ＩｎｉｔｉａｌＳｔｅｐは、電力ステップサイズを示し、Ｄｅｌｔａ＿ＩｎｉｔｉａｌＢＳは、前記電力調整値を示し、Ｄｅｌｔａ＿ＩｎｉｔｉａｌＢＳ（ｍ）は、前記ＭＳで受信されるｍ番目の電力調整値を示す。
【請求項１１】
前記ターゲットＳＩＮＲは、非同期レンジングチャネルのターゲットＳＩＮＲを有することを特徴とする請求項９に記載の基地局が移動端末機のアップリンク電力制御をサポートする方法。
【請求項１２】
前記オフセットは、ダウンリンク経路損失とアップリンク経路損失間の差を補償する値を有することを特徴とする請求項９に記載の基地局が移動端末機のアップリンク電力制御をサポートする方法。
【請求項１３】
前記電力調整値は、レンジング肯定認知（ＲＮＧ−ＡＣＫ）メッセージを通して送信されることを特徴とする請求項８に記載の基地局が移動端末機のアップリンク電力制御をサポートする方法。
【請求項１４】
前記初期オフセット値は、レンジング要求（ＲＮＧ−ＲＥＱ）メッセージを通して受信されることを特徴とする請求項８に記載の基地局が移動端末機のアップリンク電力制御をサポートする方法。
【請求項１５】
移動通信システムにおける移動端末機（ＭＳ）であって、
経路損失、アップリンク雑音及び干渉レベル、ターゲット信号対干渉雑音比（ＳＩＮＲ）、及びオフセットに基づいてアップリンク電力を決定する制御器を有し、
初期オフセット値は、初期レンジングプロセスが完了するまでのランプアップ(ramp-up)の回数と、ランプアップに対する電力ステップサイズ(power step size)と、基地局（ＢＳ）から受信された電力調整値とに基づいて決定されることを特徴とする移動端末機。
【請求項１６】
前記初期オフセット値は、次の数式で表現されることを特徴とする請求項１５に記載の移動端末機。
数式（５）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ここで、ＯｆｆｓｅｔＤａｔａは、前記アップリンク電力がデータ信号に適用される場合、前記データ信号に対する初期オフセット値を示し、ＯｆｆｓｅｔＣｏｎｔｒｏｌは、前記アップリンク電力が制御信号に適用される場合、前記制御信号に対する初期オフセット値を示し、Ｌは、前記経路損失を示し、ＳＩＮＲＴａｒｇｅｔは、前記ターゲットＳＩＮＲを示し、ＮＩは、前記アップリンク雑音及び干渉レベルを示し、ＮｕｍＳｕｂｃａｒｒｉｅｒＲＮＧは、初期レンジングに使用される帯域幅に含まれるサブキャリアの総数を示し、ＰＴＸ＿ＩＲ＿Ｆｉｎａｌは、次の数式で表現される。
数式（６）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
ここで、ＰＴＸ＿ＩＲ＿ＭＩＮは、前記移動端末機が初期レンジングコードを前記基地局に送信する際に使用される電力を示し、Ｎは、ランプアップの回数を示し、Ｐ＿ＩｎｉｔｉａｌＳｔｅｐは、電力ステップサイズを示し、Ｄｅｌｔａ＿ＩｎｉｔｉａｌＢＳは、前記電力調整値を示し、Ｄｅｌｔａ＿ＩｎｉｔｉａｌＢＳ（ｍ）は、前記ＭＳで受信されるｍ番目の電力調整値を示す。
【請求項１７】
前記ターゲットＳＩＮＲは、非同期レンジングチャネルのターゲットＳＩＮＲを有することを特徴とする請求項１５に記載の移動端末機。
【請求項１８】
前記オフセットは、ダウンリンク経路損失とアップリンク経路損失間の差を補償する値を有することを特徴とする請求項１５に記載の移動端末機。
【請求項１９】
前記初期オフセット値を含むレンジング要求（ＲＮＧ−ＲＥＱ）メッセージを前記基地局に送信する送信器をさらに有することを特徴とする請求項１５に記載の移動端末機。
【請求項２０】
前記アップリンク雑音及び干渉レベル、及び前記オフセットは、前記基地局から受信されることを特徴とする請求項１５に記載の移動端末機。
【請求項２１】
前記電力調整値は、レンジング肯定認知（ＲＮＧ−ＡＣＫ）メッセージを通して受信されることを特徴とする請求項１５に記載の移動端末機。
【請求項２２】
移動通信システムにおける基地局（ＢＳ）であって、
電力調整値を移動端末機（ＭＳ）に送信する送信器と、
前記移動端末機から初期オフセット値を受信する受信器とを有し、
前記初期オフセット値は、初期レンジングプロセスが完了するまでのランプアップ(ramp-up)の回数と、ランプアップに対する電力ステップサイズ(power step size)と、前記電力調整値とに基づいて決定されることを特徴とする基地局。
【請求項２３】
前記送信器は、アップリンク雑音及び干渉レベル、ターゲット信号対干渉雑音比（ＳＩＮＲ）、及びオフセットを前記移動端末機に送信し、
前記アップリンク電力は、経路損失、前記アップリンク雑音及び干渉レベル、前記ターゲットＳＩＮＲ、及び前記オフセットに基づいて決定され、
前記経路損失は、前記移動端末機により測定されることを特徴とする請求項２２に記載の基地局。
【請求項２４】
前記初期オフセット値は、次の数式で表現されることを特徴とする請求項２３に記載の基地局。
数式（７）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ここで、ＯｆｆｓｅｔＤａｔａは、前記アップリンク電力がデータ信号に適用される場合、前記データ信号に対する初期オフセット値を示し、ＯｆｆｓｅｔＣｏｎｔｒｏｌは、前記アップリンク電力が制御信号に適用される場合、前記制御信号に対する初期オフセット値を示し、Ｌは、前記経路損失を示し、ＳＩＮＲＴａｒｇｅｔは、前記ターゲットＳＩＮＲを示し、ＮＩは、前記アップリンク雑音及び干渉レベルを示し、ＮｕｍＳｕｂｃａｒｒｉｅｒＲＮＧは、初期レンジングに使用される帯域幅に含まれるサブキャリアの総数を示し、ＰＴＸ＿ＩＲ＿Ｆｉｎａｌは、次の数式で表現される。
数式（８）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
ここで、ＰＴＸ＿ＩＲ＿ＭＩＮは、前記移動端末機が初期レンジングコードを前記基地局に送信する際に使用される電力を示し、Ｎは、前記ランプアップ(ramp-up)の回数を示し、Ｐ＿ＩｎｉｔｉａｌＳｔｅｐは、電力ステップサイズを示し、Ｄｅｌｔａ＿ＩｎｉｔｉａｌＢＳは、前記電力調整値を示し、Ｄｅｌｔａ＿ＩｎｉｔｉａｌＢＳ（ｍ）は、前記ＭＳで受信されるｍ番目の電力調整値を示す。
【請求項２５】
前記ターゲットＳＩＮＲは、非同期レンジングチャネルのターゲットＳＩＮＲを有することを特徴とする請求項２３に記載の基地局。
【請求項２６】
前記オフセットは、ダウンリンク経路損失とアップリンク経路損失間の差を補償する値を有することを特徴とする請求項２３に記載の基地局。
【請求項２７】
前記電力調整値は、レンジング肯定認知（ＲＮＧ−ＡＣＫ）メッセージを通して送信されることを特徴とする請求項２２に記載の基地局。
【請求項２８】
前記初期オフセット値は、レンジング要求（ＲＮＧ−ＲＥＱ）メッセージを通して受信されることを特徴とする請求項２２に記載の基地局。
【発明の詳細な説明】
【技術分野】
【０００１】
本発明は、移動通信システムにおけるアップリンク送信電力を制御する装置及び方法に関する。特に、本発明は、移動通信システムにおいて、ダウンリンク経路損失とアップリンク経路損失間の差を補償することによりアップリンク送信電力を制御する装置及び方法に関する。
【背景技術】
【０００２】
移動通信システムは、システム容量の増大及びサービス品質の向上のために、ダウンリンク及びアップリンク送信電力制御方式を使用する。しかしながら、現在の移動通信システムのアップリンク送信電力制御方式は、ダウンリンク経路損失とアップリンク経路損失間の格差を全く考慮せず設計された。これは、ダウンリンク経路損失とアップリンク経路損失とが同一であるという前提に基づく。
【０００３】
一方、周波数分割二重（Frequency Division Duplexing：以下、“ＦＤＤ”と称する。）通信システムのような移動通信システムは、動作周波数帯域が異なるか、又はリピータ（Repeater）が管理する領域でのように、ダウンリンク利得とアップリンク利得とが相互に異なる場合がある。ＦＤＤ通信システムには、例えば、直交周波数分割多重接続（Orthogonal Frequency Division Multiple Access：以下、“ＯＦＤＭＡ”と称する。）方式に基づくＩＥＥＥ（Institute of Electrical and Electronics Engineers）８０２．１６ｍ通信システムなどがある。
【０００４】
このように、動作周波数帯域が異なるか、又はダウンリンク利得とアップリンク利得とが異なる場合に、ダウンリンク経路損失とアップリンク経路損失とも異なり得る。しかしながら、従来のアップリンク送信電力制御方式は、ダウンリンク経路損失がアップリンク経路損失と同一であることを前提として設計された。したがって、ダウンリンク経路損失がアップリンク経路損失と異なる場合には、アップリンク送信電力制御が効率的ではない。
【先行技術文献】
【特許文献】
【０００５】
【特許文献１】米国特許出願公開第２００７／０１４９２３８Ａ１号明細書
【特許文献２】米国特許出願公開第２００９／０３２５６２７Ａ１号明細書
【特許文献３】米国特許出願公開第２０１１／０１４１９２６Ａ１号明細書
【発明の概要】
【発明が解決しようとする課題】
【０００６】
したがって、本発明は、上述した従来技術の問題点を解決するために提案されたものであり、その目的は、移動通信システムにおけるアップリンク送信電力を制御する装置及び方法を提供することにある。
【０００７】
本発明の他の目的は、移動通信システムにおけるダウンリンク経路損失とアップリンク経路損失間の差を補償することによりアップリンク送信電力を制御する装置及び方法を提供することにある。
【課題を解決するための手段】
【０００８】
上記のような目的を達成するために、本発明の実施形態の一態様によれば、移動通信システムにおける進歩した移動端末機（Advanced Mobile Station：ＡＭＳ）のアップリンク送信電力を制御する方法を提供する。上記方法は、測定された経路損失値、進歩した基地局（Advanced Base Station：ＡＢＳ）から受信したアップリンク雑音及び干渉レベル、ターゲット信号対干渉雑音比（ＳＩＮＲ）、及びオフセットに基づいてアップリンク送信電力を決定するステップを含む。上記オフセットの初期値は、初期レンジングプロセスが完了するまで実行した初期レンジングコードの再送信回数、上記初期レンジングコードの再送信のために使用される単位送信電力、及び上記進歩した基地局と初期レンジングプロセスを完了する際に上記進歩した基地局から受信した電力調整値に基づいて決定される。
【０００９】
本発明の実施形態の他の態様によれば、移動通信システムにおける進歩した基地局（ＡＢＳ）が進歩した移動端末機（ＡＭＳ）のアップリンク送信電力制御をサポートする方法を提供する。上記方法は、上記進歩した移動端末機と初期レンジングプロセスを完了する際に、電力調整値を上記進歩した移動端末機に送信するステップと、上記進歩した移動端末機がアップリンク送信電力を決定するために使用されるオフセットの初期値を含むレンジング要求（ＲＮＧ−ＲＥＱ）メッセージを上記進歩した移動端末機から受信するステップとを含む。上記オフセットの初期値は、上記初期レンジングプロセスが完了するまで実行した初期レンジングコードの再送信回数、上記初期レンジングコードの再送信のために使用される単位送信電力、及び上記進歩した基地局と初期レンジングプロセスが完了する際に上記進歩した基地局から受信した電力調整値に基づいて決定される。
【００１０】
本発明の実施形態のさらに他の態様によれば、移動通信システムにおける進歩した移動端末機（ＡＭＳ）を提供する。上記進歩した移動端末機は、測定された経路損失値、進歩した基地局（ＡＢＳ）から受信したアップリンク雑音及び干渉レベル、ターゲット信号対干渉雑音比（ＳＩＮＲ）、及びオフセットを使用してアップリンク送信電力を決定する制御器を含む。上記オフセットの初期値は、初期レンジングプロセスが完了するまで実行した初期レンジングコードの再送信回数、上記初期レンジングコードの再送信のために使用される単位送信電力、及び上記進歩した基地局と初期レンジングプロセスを完了する際に上記進歩した基地局から受信した電力調整値に基づいて決定される。
【００１１】
本発明の実施形態のさらなる他の態様によれば、移動通信システムにおける進歩した基地局（ＡＢＳ）を提供する。上記進歩した基地局は、上記進歩した移動端末機と初期レンジングプロセスを完了する際に、電力調整値を上記進歩した移動端末機に送信する送信器と、上記進歩した移動端末機がアップリンク送信電力を決定するために使用されるオフセットの初期値を含むレンジング要求（ＲＮＧ−ＲＥＱ）メッセージを上記進歩した移動端末機から受信する受信器とを含む。上記オフセットの初期値は、上記初期レンジングプロセスが完了するまで実行した初期レンジングコードの再送信回数、上記初期レンジングコードの再送信のために使用される単位送信電力、及び上記進歩した基地局と初期レンジングプロセスが完了する際に、上記進歩した基地局から受信した電力調整値に基づいて決定される。
【発明の効果】
【００１２】
本発明の実施形態によれば、移動通信システムにおけるダウンリンク経路損失とアップリンク経路損失間の差を補償することによりアップリンク送信電力を制御することができる。したがって、過度な送信失敗及び過度な受信電力を防止することができ、これにより、移動通信システムの全体性能を向上させることができるという効果を有する。
【図面の簡単な説明】
【００１３】
【図１】本発明の実施形態によるＩＥＥＥ８０２．１６ｍ通信システムにおけるＡＢＳの初期レンジングプロセスアップリンク送信電力制御動作を示すフローチャートである。
【図２】本発明の実施形態によるＩＥＥＥ８０２．１６ｍ通信システムにおけるＡＭＳの初期レンジングプロセスアップリンク送信電力制御動作を示すフローチャートである。
【図３】本発明の実施形態によるＩＥＥＥ８０２．１６ｍ通信システムにおけるＡＢＳの周期的レンジングプロセスアップリンク送信電力制御動作を示すフローチャートである。
【図４】本発明の実施形態によるＩＥＥＥ８０２．１６ｍ通信システムにおけるＡＭＳの周期的レンジングプロセスアップリンク送信電力制御動作を示すフローチャートである。
【図５】本発明の実施形態によるＩＥＥＥ８０２．１６ｍ通信システムにおけるＡＢＳの帯域幅要求プリアンブルコード送信プロセスアップリンク送信電力制御動作を示すフローチャートである。
【図６】本発明の実施形態によるＩＥＥＥ８０２．１６ｍ通信システムにおけるＡＭＳの帯域幅要求プリアンブルコード送信プロセスアップリンク送信電力制御動作を示すフローチャートである。
【図７】本発明の実施形態によるＩＥＥＥ８０２．１６ｍ通信システムにおけるＡＢＳの構成を示すブロック図である。
【図８】本発明の実施形態によるＩＥＥＥ８０２．１６ｍ通信システムにおけるＡＭＳの構成を示すブロック図である。
【発明を実施するための形態】
【００１４】
本発明の他の目的、利点、及び顕著な特徴は、添付の図面及び本発明の実施形態からなされた以下の詳細な説明から、この分野の当業者に明確になるはずである。
【００１５】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１６】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００１７】
本願明細書に記載の各要素は、文脈中に特に明示しない限り、複数形を含むことは、当業者には理解できるものである。したがって、例えば、コンポーネント表面（a component surface）”との記載は、１つ又は複数の表面を含む。
【００１８】
本発明の実施形態は、移動通信システムにおいてアップリンク送信電力を制御する装置及び方法を提案する。また、本発明の実施形態は、移動通信システムにおいて、ダウンリンク経路損失（path loss）とアップリンク経路損失間の差を補償することによりアップリンク送信電力を制御する装置及び方法を提案する。
【００１９】
本発明では、直交周波数分割多重接続（Orthogonal Frequency Division Multiplexing Access：以下、“ＯＦＤＭＡ”と称する。）方式に基づくＩＥＥＥ（Institute of Electrical and Electronics Engineers）８０２．１６ｍ通信システムが移動通信システムの一例として使用されると仮定する。本発明の実施形態によるアップリンク送信電力を制御する装置及び方法は、ＩＥＥＥ８０２．１６ｍ通信システムだけでなく、他の移動通信システムにも適用可能である。また、本発明の実施形態によるアップリンク送信電力を制御する装置及び方法は、ダウンリンク経路損失とアップリンク経路損失間の差が存在する移動通信システムに有用に使用されることができる。
【００２０】
まず、現在のＩＥＥＥ８０２．１６ｍ通信システムで使用するアップリンク送信電力制御方式は、下記数式（１）のように表現する。
数式（１）
Ｐ〔ｄＢｍ〕＝Ｌ＋ＳＩＮＲＴａｒｇｅｔ＋ＮＩ＋Ｏｆｆｓｅｔ
ここで、Ｐは、アップリンク送信電力を示し、Ｌは、進歩した移動端末機（Advanced Mobile Station：以下、“ＡＭＳ”と称する。）が測定したダウンリンク経路損失を示し、ＳＩＮＲＴａｒｇｅｔは、進歩した基地局（Advanced Base Station：以下、“ＡＢＳ”と称する。）で受信した信号のターゲット信号対干渉雑音比（Signal-to-Interference and Noise Ratio：以下、“ＳＩＮＲ”と称する。）を示し、ＮＩは、ＡＢＳで測定したアップリンク雑音及び干渉レベル（uplink noise and interference level）を示し、Ｏｆｆｓｅｔは、電力オフセットを示す。アップリンク雑音及び干渉レベルＮＩは、ＡＢＳがブロードキャストする値である。
【００２１】
また、ＳＩＮＲＴａｒｇｅｔは、ＡＭＳが送信する信号がデータ信号であるか又は制御信号であるかに従って異なる方法で決定される。すなわち、ＡＢＳは、各制御信号に対するターゲットＳＩＮＲであるＳＩＮＲＴａｒｇｅｔを決定し、該決定したＳＩＮＲＴａｒｇｅｔをブロードキャストする。また、ＡＢＳは、データ信号に対するＳＩＮＲＴａｒｇｅｔを下記数式（２）のように決定し、ＳＩＮＲＴａｒｇｅｔを対応するＡＭＳに送信する。
数式（２）
ＳＩＮＲＴａｒｇｅｔ＝１０・ｌｏｇ１０（ｍａｘ（１０（ＳＩＮＲＭＩＮ〔ｄＢ〕／１０，γＩｏＴ・ＳＩＲＤＬ−α））−β・１０ｌｏｇ１０（ＴＮＳ）
ここで、ＳＩＮＲＭＩＮは、ＡＢＳが設定しブロードキャストするＡＭＳの最小送信率に対応するＳＩＮＲを示し、γＩｏＴは、アップリンクに対するＩｏＴ（Interference over Thermal Noise）を調節するために使用する調節ファクターを示し、ＳＩＲＤＬは、ＡＭＳが測定したダウンリンク信号対干渉比（Signal-to-Interference Ratio：以下、“ＳＩＲ”と称する。）を示し、αは、ＡＢＳが使用するアンテナの個数を考慮した調節ファクターを示し、βは、ＡＢＳがＡＭＳからのデータ信号を受信する際にマルチストリーム（multi-stream）の形態でパワーノーマライゼーション（power normalization）を決定するための調節ファクターを示し、ＴＮＳ（Total Number of Streams）は、総ストリームの個数を示す。ＩＥＥＥ８０２．１６ｍ通信システムが単一ユーザ多入力多出力（Single User Multiple Input Multiple Output：ＳＵ−ＭＩＭＯ）方式を使用する場合に、ＴＮＳは、対応するＡＭＳから受信した総ストリームの個数を示す。ＩＥＥＥ８０２．１６ｍ通信システムがマルチユーザ多入力多出力（Multi-User Multiple Input Multiple Output：ＭＵ−ＭＩＭＯ）方式を使用する場合に、ＴＮＳは、複数のＡＭＳから受信した総ストリームの個数を示す。
【００２２】
また、数式（１）において、Ｏｆｆｓｅｔは、ＡＭＳが送信する信号がデータ信号であるか又は制御信号であるかに基づいてＯｆｆｓｅｔＤａｔａ及びＯｆｆｓｅｔＣｏｎｔｒｏｌに分類される。ＯｆｆｓｅｔＤａｔａは、ＡＭＳがデータ信号を送信する場合に使用されるＯｆｆｓｅｔを示し、ＯｆｆｓｅｔＣｏｎｔｒｏｌは、ＡＭＳが制御信号を送信する場合に使用されるＯｆｆｓｅｔを示す。ＯｆｆｓｅｔＤａｔａ及びＯｆｆｓｅｔＣｏｎｔｒｏｌは、メッセージの形態でシグナリングすることによりアップデートされ得る。すなわち、ＡＭＳが現在のＯｆｆｓｅｔＤａｔａ及びＯｆｆｓｅｔＣｏｎｔｒｏｌを示すＯｆｆｓｅｔＤａｔａ＿ｃ及びＯｆｆｓｅｔＣｏｎｔｒｏｌ ＿ｃを記憶している場合に、ＯｆｆｓｅｔＤａｔａ＿ｎｅｗ及びＯｆｆｓｅｔＣｏｎｔｒｏｌ＿ｎｅｗをＡＢＳから受信すると、ＡＭＳは、ＯｆｆｓｅｔＤａｔａ＿ｃ及びＯｆｆｓｅｔＣｏｎｔｒｏｌ＿ｃをＯｆｆｓｅｔＤａｔａ＿ｎｅｗ及びＯｆｆｓｅｔＣｏｎｔｒｏｌ＿ｎｅｗにアップデートする。
【００２３】
一方、数式（１）のように説明したアップリンク送信電力制御方式は、ダウンリンク経路損失とアップリンク経路損失間の差がないという前提の下に設計された。したがって、数式（１）のように説明したアップリンク送信電力制御方式をそのまま使用する場合に、ＩＥＥＥ８０２．１６ｍ通信システムにおけるように、ダウンリンク経路損失とアップリンク経路損失間の差が発生し得る環境では、アップリンク送信電力制御の性能低下につながる可能性がある。
【００２４】
したがって、本発明の実施形態は、ダウンリンク経路損失とアップリンク経路損失間の差を補償することによりアップリンク送信電力を制御する方式を提案する。本発明の実施形態によるアップリンク送信電力制御方式は、初期レンジング（Initial Ranging）プロセスアップリンク送信電力制御方式と、周期的レンジング（Periodic Ranging）プロセスアップリンク送信電力制御方式と、帯域幅要求（Bandwidth Request：ＢＷ  ＲＥＱ）プリアンブルコード送信プロセスアップリンク送信電力制御方式とを含む。
【００２５】
まず、初期レンジングプロセスアップリンク送信電力制御方式について説明する。
初期レンジングプロセスアップリンク送信電力制御方式に従って、ＡＭＳは、初期レンジングプロセスを完了した後にダウンリンク経路損失とアップリンク経路損失間の差を補償することによりそのアップリンク送信電力を制御するように、数式（１）で説明したＯｆｆｓｅｔの初期値を決定する。このような動作について具体的に説明すると、次のようである。
【００２６】
数式（１）で説明したようなアップリンク送信電力制御方式は、初期レンジングプロセスを完了したＡＭＳ、すなわち、接続モード（connected mode）のＡＭＳが使用するアップリンク送信電力制御方式である。したがって、ＡＭＳがＡＢＳと初期レンジングプロセスを完了する前に、ＡＭＳは、数式（３）のように説明したアップリンク送信電力制御方式に従って動作する。
数式（３）
ＰＴＸ＿ＩＲ＿ＭＩＮ＝ＥＩＲｘＰＩＲ，ｍｉｎ＋ＢＳ＿ＥＩＲＰ−ＲＳＳ＋（ＧＲｘ＿ＭＳ−ＧＴｘ＿ＭＳ）
ここで、ＰＴＸ＿ＩＲ＿ＭＩＮは、ＡＭＳが初期レンジングコードをＡＢＳに送信する際に使用する送信電力を示し、ＥＩＲｘＰＩＲ，ｍｉｎは、ＡＢＳが受信することを希望する受信信号のターゲット受信電力を示し、ＢＳ＿ＥＩＲＰは、ＡＢＳの総ダウンリンク送信電力を示し、ＲＳＳは、ＡＭＳが測定した受信信号強度（Received Signal Strength：以下、“ＲＳＳ”と称する。）を示し、ＧＲｘ＿ＭＳは、ＡＭＳの受信利得を示し、ＧＴｘ＿ＭＳは、ＡＭＳの送信利得を示す。ＡＢＳは、ターゲット受信電力ＥＩＲｘＰＩＲ，ｍｉｎを決定し、これをブロードキャストする。
【００２７】
ＡＭＳは、数式（３）により決定されたアップリンク送信電力、すなわち、ＰＴＸ＿ＩＲ＿ＭＩＮを使用してＡＢＳと初期レンジングプロセスを実行する。ＡＭＳは、送信電力ＰＴＸ＿ＩＲ＿ＭＩＮを使用して初期レンジングコードをＡＢＳに送信し、この送信した初期レンジングコードに対する応答信号をＡＢＳから受信することにより、初期レンジングプロセスを完了する。
【００２８】
しかしながら、ＡＭＳが所定の時間内にこの送信した初期レンジングコードに対する応答信号をＡＢＳから受信することができない場合に、ＡＭＳは、送信電力ＰＴＸ＿ＩＲ＿ＭＩＮから所定の単位送信電力だけ増加した送信電力で初期レンジングコードをＡＢＳに再送信する。ＡＭＳは、所定の再送信回数内でこの初期レンジングコードを再送信することができる。
【００２９】
この初期レンジングコードの再送信のために使用される単位送信電力をＰ＿ＩｎｉｔｉａｌＳｔｅｐ（ｄＢ）で示すと、この初期レンジングコードが総Ｎ回再送信された場合、すなわち、単位送信電力Ｐ＿ＩｎｉｔｉａｌＳｔｅｐ（ｄＢ）が総Ｎ回使用された場合に、ＡＭＳは、数式（１）で説明したＯｆｆｓｅｔの初期値を下記の数式（４）に従って決定する。
数式（４）
ＯｆｆｓｅｔＤａｔａ＝Ｎ×Ｐ＿ＩｎｉｔｉａｌＳｔｅｐ＋Ｄｅｌｔａ＿ＩｎｉｔｉａｌＢＳ
ＯｆｆｓｅｔＣｏｎｔｒｏｌ＝Ｎ×Ｐ＿ＩｎｉｔｉａｌＳｔｅｐ＋Ｄｅｌｔａ＿ＩｎｉｔｉａｌＢＳ
ここで、Ｄｅｌｔａ＿ＩｎｉｔｉａｌＢＳは、ＡＢＳが送信した初期レンジングコードに対する応答信号に設定されている電力調整値、すなわち、ＡＢＳが決定した電力調整量〔ｄＢ〕を示す。例えば、ＡＢＳがＡＭＳから受信した初期レンジングコードの受信電力を調整する必要があると判定する場合に、ＡＢＳは、電力調整値Ｄｅｌｔａ＿ＩｎｉｔｉａｌＢＳを初期レンジングコードに対する応答信号に含ませてＡＭＳに送信する。
【００３０】
ＡＢＳがこの初期レンジングコードの受信電力を調整する必要がないと判定する場合に、ＡＢＳは、この初期レンジングコードに対する応答信号に電力調整値Ｄｅｌｔａ＿ＩｎｉｔｉａｌＢＳを含ませないこともある。
【００３１】
ＡＢＳは、初期レンジングプロセスが成功するまで、電力調整値Ｄｅｌｔａ＿ＩｎｉｔｉａｌＢＳを複数回、例えば、Ｍ回ＡＭＳに送信することができる。電力調整値Ｄｅｌｔａ＿ＩｎｉｔｉａｌＢＳがＭ回送信されたという仮定の下に、ＡＭＳは、Ｍ回送信された電力調整値Ｄｅｌｔａ＿ＩｎｉｔｉａｌＢＳを考慮して下記の数式（５）によりＯｆｆｓｅｔの初期値を決定することができる。
数式（５）
ＯｆｆｓｅｔＤａｔａ＝Ｎ×Ｐ＿ＩｎｉｔｉａｌＳｔｅｐ＋ΣＤｅｌｔａ＿ＩｎｉｔｉａｌＢＳ（ｍ）
ＯｆｆｓｅｔＣｏｎｔｒｏｌ＝Ｎ×Ｐ＿ＩｎｉｔｉａｌＳｔｅｐ＋ΣＤｅｌｔａ＿ＩｎｉｔｉａｌＢＳ（ｍ）
ここで、Ｄｅｌｔａ＿ＩｎｉｔｉａｌＢＳ（ｍ）は、Ｍ回目送信された電力調整値Ｄｅｌｔａ＿ＩｎｉｔｉａｌＢＳを示し、ここで、ｍ＝１，．．．，Ｍである。
数式（３）において、受信信号のターゲット受信電力、すなわち、初期レンジング信号のターゲット受信電力ＥＩＲｘＰＩＲ，ｍｉｎは、実際の初期レンジングチャネルのターゲットＳＩＮＲ、すなわち、ＳＩＮＲＴａｒｇｅｔとアップリンク雑音及び干渉レベルＮＩとの合計とは異なり得る。したがって、この差を補償するために、下記数式（６）のようにＯｆｆｓｅｔの初期値を決定することができる。
数式（６）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）＋ＰＣＤＭＡ＿ａｌｌｏｃａｔｉｏｎ
ここで、ＰＴＸ＿ＩＲ＿Ｆｉｎａｌは、下記数式（７）のように表現することができる。
数式（７）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
数式（６）において、ＳＩＮＲＴａｒｇｅｔは、ＡＢＳで受信した信号のターゲットＳＩＮＲを示す。特定のチャネルは、基準チャネルとして指定されることができる。この場合に、ＳＩＮＲＴａｒｇｅｔは、この特定のチャネルに対する要求エラー率（required error rate）に必要とされるＳＩＮＲ値を示す。例えば、非同期（Non-synchronous）レンジングチャネルが基準チャネルとして設定される場合に、ＳＩＮＲＴａｒｇｅｔは、非同期レンジングチャネルのターゲットＳＩＮＲであるＳＩＮＲＮｏｎ−ｓｙｎｃＲａｎｇｉｎｇに設定されなければならない。
【００３２】
数式（６）において、ＮｕｍＳｕｂｃａｒｒｉｅｒＲＮＧは、初期レンジングのために使用される帯域幅に含まれるサブキャリアの総数を示し、ＰＣＤＭＡ＿ａｌｌｏｃａｔｉｏｎは、ＡＢＳからのアップリンクリソース割当てシグナリングにより設定される、例えば、ＡＢＳが送信するＣＤＭＡ割当て情報要素（ＩＥ）のＯｆｆｓｅｔｃｏｎｔｒｏｌフィールドに含まれるアップリンク電力調整値を示す。
【００３３】
Ｏｆｆｓｅｔの初期値がアップリンク電力調整値ＰＣＤＭＡ＿ａｌｌｏｃａｔｉｏｎを用いて計算される数式（６）を参照して説明したが、数式（６）において、アップリンク電力調整値ＰＣＤＭＡ＿ａｌｌｏｃａｔｉｏｎを除外させ、Ｏｆｆｓｅｔの初期値が決定されることもある。数式（１）のアップリンク送信電力制御方式を下記の数式（８）で示すことができる。
数式（８）
Ｐ〔ｄＢｍ〕＝Ｌ＋ＳＩＮＲＴａｒｇｅｔ＋ＮＩ＋Ｏｆｆｓｅｔ＿ｉｎｉｔｉａｌ＿ｄｅｆａｕｌｔ＋ＯｆｆｓｅｔＭＳ
Ｏｆｆｓｅｔ＿ｉｎｉｔｉａｌ＿ｄｅｆａｕｌｔ＋ＯｆｆｓｅｔＭＳが数式（１）のＯｆｆｓｅｔと同一であると仮定すると、ＯｆｆｓｅｔＭＳは、下記の数式（９）で示すことができる。すなわち、Ｏｆｆｓｅｔ＿ｉｎｉｔｉａｌ＿ｄｅｆａｕｌｔは、現在のＩＥＥＥ８０２．１６ｍ通信システムで使用するように、デフォルト値、例えば、初期レンジングプロセスで‘０’に設定され、数式（１）のＯｆｆｓｅｔの初期値は、ＯｆｆｓｅｔＭＳを使用して決定される。
数式（９）
ＯｆｆｓｅｔＭＳ＝Ｎ×Ｐ＿ＩｎｉｔｉａｌＳｔｅｐ＋Ｄｅｌｔａ＿ＩｎｉｔｉａｌＢＳ
ＡＭＳが初期レンジングコードのＮ回の再送信の後に、Ｎ×Ｐ＿ＩｎｉｔｉａｌＳｔｅｐに基づいてＯｆｆｓｅｔＭＳを決定することもできるが、下記の数式（１０）で説明するように、初期レンジングコード再送信ごとに、すなわち、ランピングアップ（Ramping up）を行うたびにＰ＿ＩｎｉｔｉａｌＳｔｅｐを使用してＯｆｆｓｅｔＭＳをアップデートし、Ｄｅｌｔａ＿ＩｎｉｔｉａｌＢＳをＡＢＳから受信するたびに、ＡＭＳは、下記の数式（１１）で説明するように、Ｄｅｌｔａ＿ＩｎｉｔｉａｌＢＳをアップデートに追加で反映することもできる。
数式（１０）
ＯｆｆｓｅｔＭＳ＝ＯｆｆｓｅｔＭＳ＿ｃ＋Ｐ＿ＩｎｉｔｉａｌＳｔｅｐ
数式（１１）
ＯｆｆｓｅｔＭＳ＝ＯｆｆｓｅｔＭＳ＿ｃ＋Ｄｅｌｔａ＿ＩｎｉｔｉａｌＢＳ
ここで、ＯｆｆｓｅｔＭＳ＿ｃは、現在のＯｆｆｓｅｔＭＳの値を示す。
【００３４】
２番目に、周期的レンジングプロセスアップリンク送信電力制御方式について説明する。
【００３５】
周期的レンジングプロセスアップリンク送信電力制御方式に従って、ＡＭＳは、周期的レンジングプロセスを完了した後に、ダウンリンク経路損失とアップリンク経路損失間の差を補償することによりそのアップリンク送信電力を制御するように数式（１）で説明したＯｆｆｓｅｔをアップデートする。このような動作について具体的に説明すると、次のようである。この周期的レンジングプロセスは、‘同期化したレンジング（Synchronized ranging）’とも呼ぶ。
【００３６】
まず、周期的レンジングプロセスは、接続モードのＡＭＳが所定の条件に従って周期的レンジングコードをＡＢＳに送信し、ＡＢＳがＡＭＳの送信電力、周波数オフセット、及び時間オフセットなどを調節するプロセスである。ＡＭＳは、数式（１）により決定されたアップリンク送信電力Ｐを使用して周期的レンジングコードをＡＢＳに送信し、この送信した周期的レンジングコードに対する応答信号をＡＢＳから受信することにより、周期的レンジングプロセスを完了する。
【００３７】
しかしながら、ＡＭＳが所定の時間内にこの送信した周期的レンジングコードに対する応答信号をＡＢＳから受信することができない場合に、ＡＭＳは、所定の単位送信電力だけ送信電力Ｐから増加した送信電力を用いてこの周期的レンジングコードをＡＢＳに再送信する。ＡＭＳは、所定の再送信回数内でこの周期的レンジングコードを再送信することができる。
【００３８】
この周期的レンジングコードの再送信のために使用される単位送信電力をＰ＿ＰｅｒｉｏｄｉｃＳｔｅｐ〔ｄＢ〕で示すと、この周期的レンジングコードが総Ｎ回再送信された場合、すなわち、単位送信電力Ｐ＿ＰｅｒｉｏｄｉｃＳｔｅｐ（ｄＢ）が総Ｎ回使用された場合に、ＡＭＳは、下記の数式（１２）に従って、数式（１）で説明したＯｆｆｓｅｔの初期値を決定する。
数式（１２）
ＯｆｆｓｅｔＤａｔａ＝ＯｆｆｓｅｔＤａｔａ＿ｃ＋Ｎ×Ｐ＿ＰｅｒｉｏｄｉｃＳｔｅｐ＋ＤｅｌｔａＰｅｒｉｏｄｉｃＢＳ
ＯｆｆｓｅｔＣｏｎｔｒｏｌ＝ＯｆｆｓｅｔＣｏｎｔｒｏｌ＿ｃ＋Ｎ×Ｐ＿ＰｅｒｉｏｄｉｃＳｔｅｐ＋ＤｅｌｔａＰｅｒｉｏｄｉｃＢＳ
ここで、ＯｆｆｓｅｔＤａｔａ＿ｃは、ＡＭＳが周期的レンジングプロセスを実行する直前に使用するＯｆｆｓｅｔＤａｔａを示し、ＯｆｆｓｅｔＣｏｎｔｒｏｌ＿ｃは、ＡＭＳが周期的レンジングプロセスを実行する直前に使用するＯｆｆｓｅｔＣｏｎｔｒｏｌを示す。
【００３９】
数式（１２）において、ＤｅｌｔａＰｅｒｉｏｄｉｃＢＳは、ＡＢＳが送信する周期的レンジングコードに対する応答信号に設定されている電力調整値、すなわち、ＡＢＳが決定した電力調整量〔ｄＢ〕を示す。例えば、ＡＢＳがＡＭＳから受信した周期的レンジングコードの受信電力を調整する必要があると判定する場合に、ＡＢＳは、電力調整値ＤｅｌｔａＰｅｒｉｏｄｉｃＢＳを周期的レンジングコードに対する応答信号に含ませてＡＭＳに送信する。
【００４０】
ＡＢＳが周期的レンジングコードの受信電力を調整する必要がないと判定する場合に、ＡＢＳは、この周期的レンジングコードに対する応答信号に電力調整値ＤｅｌｔａＰｅｒｉｏｄｉｃＢＳを含ませない可能性もある。
【００４１】
数式（１）のアップリンク送信電力制御方式を下記の数式（１３）で示すことができる。
数式（１３）
Ｐ〔ｄＢｍ〕＝Ｌ＋ＳＩＮＲＴａｒｇｅｔ＋ＮＩ＋Ｏｆｆｓｅｔ＿ｐｅｒｉｏｄｉｃ＿ｄｅｆａｕｌｔ＋ＯｆｆｓｅｔＭＳ
上述した数式（１３）のＯｆｆｓｅｔ＿ｐｅｒｉｏｄｉｃ＿ｄｅｆａｕｌｔ＋ＯｆｆｓｅｔＭＳが数式（１）のＯｆｆｓｅｔと同一であると仮定すると、ＯｆｆｓｅｔＭＳは、下記数式（１４）で示すことができる。Ｏｆｆｓｅｔ＿ｐｅｒｉｏｄｉｃ＿ｄｅｆａｕｌｔは、ＡＭＳが周期的レンジングプロセスを実行する直前に使用するＯｆｆｓｅｔであり、ＡＭＳは、ＯｆｆｓｅｔＭＳを使用して上述した数式（１）のＯｆｆｓｅｔをアップデートする。
数式（１４）
ＯｆｆｓｅｔＭＳ＝ＯｆｆｓｅｔＭＳ＿ｃ＋Ｎ×Ｐ＿ＰｅｒｉｏｄｉｃＳｔｅｐ＋ＤｅｌｔａＰｅｒｉｏｄｉｃＢＳ
【００４２】
ＡＭＳは、周期的レンジングコードのＮ回の再送信の後に、Ｎ×Ｐ＿ＰｅｒｉｏｄｉｃＳｔｅｐに基づいてＯｆｆｓｅｔＭＳをアップデートしてもよいが、下記の数式（１５）で説明するように、この周期的レンジングコード再送信ごとに、すなわち、ランピングアップを行うたびにＰ＿ＰｅｒｉｏｄｉｃＳｔｅｐを使用してＯｆｆｓｅｔＭＳをアップデートしてもよい。あるいは、ＡＢＳからＤｅｌｔａＰｅｒｉｏｄｉｃＢＳを受信するたびに、ＡＭＳは、下記の数式（１６）で説明するように、ＤｅｌｔａＰｅｒｉｏｄｉｃＢＳを使用してＯｆｆｓｅｔＭＳをアップデートしてもよい。
数式（１５）
ＯｆｆｓｅｔＭＳ＝ＯｆｆｓｅｔＭＳ＿ｃ＋Ｐ＿ＰｅｒｉｏｄｉｃＳｔｅｐ
数式（１６）
ＯｆｆｓｅｔＭＳ＝ＯｆｆｓｅｔＭＳ＿ｃ＋ＤｅｌｔａＰｅｒｉｏｄｉｃＢＳ
ここで、ＯｆｆｓｅｔＭＳ＿ｃは、現在のＯｆｆｓｅｔＭＳの値を示す。
【００４３】
最後に、帯域幅要求プリアンブルコード送信プロセスアップリンク送信電力制御方式について説明する。
【００４４】
この帯域幅要求プリアンブルコード送信プロセスアップリンク送信電力制御方式に従って、ＡＭＳは、帯域幅要求プリアンブルコード送信プロセスを完了した後にダウンリンク経路損失とアップリンク経路損失間の差を補償することによりそのアップリンク送信電力を制御するように上述した数式（１）で説明したＯｆｆｓｅｔをアップデートする。このような動作について具体的に説明すると、次のようである。
【００４５】
まず、帯域幅要求プリアンブルコード送信プロセスを実行する間に、ＡＭＳは、上述した数式（１）により決定されたアップリンク送信電力Ｐを使用して帯域幅要求プリアンブルコードをＡＢＳに送信し、この送信した帯域幅要求プリアンブルコードに対する応答信号をＡＢＳから受信することにより、帯域幅要求プリアンブルコード送信プロセスを完了する。
【００４６】
しかしながら、ＡＭＳが所定の時間内にこの送信した帯域幅要求プリアンブルコードに対する応答信号をＡＢＳから受信することができない場合に、ＡＭＳは、所定の単位送信電力だけ送信電力Ｐから増加した送信電力を用いてこの帯域幅要求プリアンブルコードをＡＢＳに再送信する。ＡＭＳは、所定の再送信回数内でこの帯域幅要求プリアンブルコードを再送信することもできる。
【００４７】
この帯域幅要求プリアンブルコードの再送信のために使用される単位送信電力をＰ＿ＢＷＲＥＱＳｔｅｐ〔ｄＢ〕で示すと、この帯域幅要求プリアンブルコードが総Ｎ回再送信された場合、すなわち、単位送信電力Ｐ＿ＢＷＲＥＱＳｔｅｐが総Ｎ回使用された場合に、ＡＭＳは、下記の数式（１７）に従って、数式（１）で説明したＯｆｆｓｅｔの初期値を決定する。
数式（１７）
ＯｆｆｓｅｔＤａｔａ＝ＯｆｆｓｅｔＤａｔａ＿ｃ＋Ｎ×Ｐ＿ＢＷＲＥＱＳｔｅｐ＋ＤｅｌｔａＢＷＲＥＱＢＳ
ＯｆｆｓｅｔＣｏｎｔｒｏｌ＝ＯｆｆｓｅｔＣｏｎｔｒｏｌ＿ｃ＋Ｎ×Ｐ＿ＢＷＲＥＱＳｔｅｐ＋ＤｅｌｔａＢＷＲＥＱＢＳ
ここで、ＯｆｆｓｅｔＤａｔａ＿ｃは、ＡＭＳが帯域幅要求プリアンブルコード送信プロセスを実行する直前に使用するＯｆｆｓｅｔＤａｔａを示し、ＯｆｆｓｅｔＣｏｎｔｒｏｌ＿ｃは、ＡＭＳが帯域幅要求プリアンブルコード送信プロセスを実行する直前に使用するＯｆｆｓｅｔＣｏｎｔｒｏｌを示す。
【００４８】
上述した数式（１７）において、ＤｅｌｔａＢＷＲＥＱＢＳは、ＡＢＳが送信する帯域幅要求プリアンブルコードに対する応答信号に設定されている電力調整値、すなわち、ＡＢＳが決定した電力調整量〔ｄＢ〕を示す。例えば、ＡＢＳがＡＭＳから受信した帯域幅要求プリアンブルコードの受信電力を調整する必要があると判定する場合に、ＡＢＳは、電力調整値ＤｅｌｔａＢＷＲＥＱＢＳを帯域幅要求プリアンブルコードに対する応答信号に含ませてＡＭＳに送信する。
【００４９】
ＡＢＳが帯域幅要求プリアンブルコードの受信電力を調整する必要がないと判定する場合に、ＡＢＳは、この帯域幅要求プリアンブルコードに対する応答信号に電力調整値ＤｅｌｔａＢＷＲＥＱＢＳを含ませない可能性もある。
【００５０】
数式（１）のアップリンク送信電力制御方式を下記の数式（１８）で示すことができる。
数式（１８）
Ｐ〔ｄＢｍ〕＝Ｌ＋ＳＩＮＲＴａｒｇｅｔ＋ＮＩ＋Ｏｆｆｓｅｔ＿ＢＷＲＥＱ＿ｄｅｆａｕｌｔ＋ＯｆｆｓｅｔＭＳ
上述した数式（１８）のＯｆｆｓｅｔ＿ＢＷＲＥＱ＿ｄｅｆａｕｌｔ＋ＯｆｆｓｅｔＭＳが数式（１）のＯｆｆｓｅｔと同一であると仮定すると、ＯｆｆｓｅｔＭＳは、下記の数式（１９）で示すことができる。Ｏｆｆｓｅｔ＿ＢＷＲＥＱ＿ｄｅｆａｕｌｔは、ＡＭＳが帯域幅要求プリアンブルコード送信プロセスを実行する直前に使用するＯｆｆｓｅｔであり、ＡＭＳは、ＯｆｆｓｅｔＭＳを使用して上述した数式（１）のＯｆｆｓｅｔをアップデートする。
数式（１９）
ＯｆｆｓｅｔＭＳ＝ＯｆｆｓｅｔＭＳ＿ｃ＋Ｎ×Ｐ＿ＢＷＲＥＱＳｔｅｐ＋ＤｅｌｔａＢＷＲＥＱＢＳ
【００５１】
ＡＭＳは、帯域幅要求プリアンブルコードのＮ回の再送信の後に、Ｎ×Ｐ＿ＢＷＲＥＱＳｔｅｐに基づいてＯｆｆｓｅｔＭＳを決定してもよいが、下記の数式（２０）で説明するように、この帯域幅要求プリアンブルコード再送信ごとに、すなわち、ランピングアップを行うたびにＰ＿ＢＷＲＥＱＳｔｅｐを使用してＯｆｆｓｅｔＭＳをアップデートしてもよい。あるいは、ＡＢＳからＤｅｌｔａＢＷＲＥＱＢＳを受信するたびに、ＡＭＳは、下記の数式（２１）で説明するように、ＤｅｌｔａＢＷＲＥＱＢＳを使用してＯｆｆｓｅｔＭＳを決定してもよい。
数式（２０）
ＯｆｆｓｅｔＭＳ＝ＯｆｆｓｅｔＭＳ＿ｃ＋Ｐ＿ＢＷＲＥＱＳｔｅｐ
数式（２１）
ＯｆｆｓｅｔＭＳ＝ＯｆｆｓｅｔＭＳ＿ｃ＋ＤｅｌｔａＢＷＲＥＱＢＳ
ここで、ＯｆｆｓｅｔＭＳ＿ｃは、現在のＯｆｆｓｅｔＭＳの値を示す。
【００５２】
一方、ＡＭＳが初期レンジングプロセスアップリンク送信電力制御方式を使用してＯｆｆｓｅｔの初期値を決定し、周期的レンジングプロセスアップリンク送信電力制御方式及び帯域幅要求プリアンブルコード送信プロセスアップリンク送信電力制御方式を使用してＯｆｆｓｅｔ値をアップデートする過程について説明した。ＡＭＳは、ＡＭＳが直接決定したＯｆｆｓｅｔの初期値及びアップデート値に関する情報をＡＢＳに通知しなければならない。ここで、ＡＭＳが直接決定したＯｆｆｓｅｔの初期値及びアップデート値に関する情報をＡＢＳに通知する方式については、下記で詳細に説明する。
【００５３】
図１を参照して、本発明の実施形態によるＩＥＥＥ８０２．１６ｍ通信システムにおけるＡＢＳの初期レンジングプロセスアップリンク送信電力制御動作について説明する。
【００５４】
図１は、本発明の実施形態によるＩＥＥＥ８０２．１６ｍ通信システムにおけるＡＢＳの初期レンジングプロセスアップリンク送信電力制御動作を示すフローチャートである。
【００５５】
図１を参照すると、ステップ１１１で、ＡＢＳは、アップリンク送信電力制御方式に使用されるパラメータをブロードキャストする。ステップ１１３で、ＡＭＳから受信した初期レンジングコードを検出すると、ＡＢＳは、ステップ１１５で、この検出した初期レンジングコードの受信電力に基づいて電力調整値Ｄｅｌｔａ＿ＩｎｉｔｉａｌＢＳを決定し、ステップ１１７で、この決定した電力調整値Ｄｅｌｔａ＿ＩｎｉｔｉａｌＢＳをＡＭＳに送信する。ステップ１１９で、ＡＢＳは、Ｏｆｆｓｅｔの初期値をＡＭＳから受信する。
【００５６】
図２を参照して、本発明の実施形態によるＩＥＥＥ８０２．１６ｍ通信システムにおけるＡＭＳの初期レンジングプロセスアップリンク送信電力制御動作について説明する。
【００５７】
図２は、本発明の実施形態によるＩＥＥＥ８０２．１６ｍ通信システムにおけるＡＭＳの初期レンジングプロセスアップリンク送信電力制御動作を示すフローチャートである。
【００５８】
図２を参照すると、ＡＭＳは、ステップ２１１で、ＡＢＳからブロードキャストするアップリンク送信電力制御方式に使用されるパラメータを受信し、ステップ２１３で、初期レンジングコードを送信するために使用するアップリンク送信電力ＰＴＸ＿ＩＲ＿ＭＩＮを決定する。ステップ２１５で、ＡＭＳは、初期レンジングのオポチュニティー（opportunity）でアップリンク送信電力ＰＴＸ＿ＩＲ＿ＭＩＮを使用して初期レンジングコードを送信する。ＡＭＳは、ステップ２１７で、この送信した初期レンジングコードに対する応答信号が所定の時間内にＡＢＳから受信されたか否かを検査する。この送信した初期レンジングコードに対する応答信号が所定の時間内にＡＢＳから受信されなかった場合に、ＡＭＳは、ステップ２１９で、初期レンジングプロセスに使用される単位送信電力Ｐ＿ＩｎｉｔｉａｌＳｔｅｐだけ送信電力ＰＴＸ＿ＩＲ＿ＭＩＮを増加させ、ステップ２１５で、この増加した送信電力ＰＴＸ＿ＩＲ＿ＭＩＮを用いて初期レンジングコードを再送信する。
【００５９】
ステップ２１７で、所定の時間内にこの送信した初期レンジングコードに対する応答信号をＡＢＳから受信する場合に、ＡＭＳは、ステップ２２１で、電力調整値Ｄｅｌｔａ＿ＩｎｉｔｉａｌＢＳがこの応答信号に含まれているか否かを検査する。電力調整値Ｄｅｌｔａ＿ＩｎｉｔｉａｌＢＳがこの応答信号に含まれている場合に、ＡＭＳは、ステップ２２３で、初期レンジングコードの再送信回数Ｎ、単位送信電力Ｐ＿ＩｎｉｔｉａｌＳｔｅｐ、及び電力調整値Ｄｅｌｔａ＿ＩｎｉｔｉａｌＢＳを保存する。ＡＭＳは、ステップ２２５で、この送信した初期レンジングコードに対する応答信号が成功状態を示すか否かを検査する。この応答信号が成功状態を示す場合に、ＡＭＳは、ステップ２２７に進む。他方、この応答信号が成功状態を示さない場合、すなわち、継続（continued）状態を示す場合に、ＡＭＳは、ステップ２１５に戻る。
【００６０】
ステップ２２１で、電力調整値Ｄｅｌｔａ＿ＩｎｉｔｉａｌＢＳがこの応答信号に含まれない場合に、ＡＭＳは、ステップ２２７にジャンプする。
【００６１】
ステップ２２７で、ＡＭＳは、アップリンク電力調整値ＰＣＤＭＡ＿ａｌｌｏｃａｔｉｏｎをＡＢＳから受信する。ＡＭＳは、ステップ２２９で、数式（４）、（５）、及び（６）で説明した方式の中の１つを使用してＯｆｆｓｅｔの初期値を決定し、ステップ２３１で、この決定したＯｆｆｓｅｔの初期値をＡＢＳに通知する。
【００６２】
図３を参照して、本発明の実施形態によるＩＥＥＥ８０２．１６ｍ通信システムにおけるＡＢＳの周期的レンジングプロセスアップリンク送信電力制御動作について説明する。
【００６３】
図３は、本発明の実施形態によるＩＥＥＥ８０２．１６ｍ通信システムにおけるＡＢＳの周期的レンジングプロセスアップリンク送信電力制御動作を示すフローチャートである。
【００６４】
図３を参照すると、ＡＢＳは、ステップ３１１で、アップリンク送信電力制御方式に使用されるパラメータをブロードキャストする。ステップ３１３で、ＡＭＳから受信した周期的レンジングコードを検出すると、ＡＢＳは、ステップ３１５で、この検出した周期的レンジングコードの受信電力に基づいて電力調整値ＤｅｌｔａＰｅｒｉｏｄｉｃＢＳを決定し、ステップ３１７で、この決定した電力調整値ＤｅｌｔａＰｅｒｉｏｄｉｃＢＳをＡＭＳに送信する。ステップ３１９で、ＡＢＳは、ＡＭＳが通知したＯｆｆｓｅｔのアップデート値を受信する。
【００６５】
図４を参照して、本発明の実施形態によるＩＥＥＥ８０２．１６ｍ通信システムにおけるＡＭＳの周期的レンジングプロセスアップリンク送信電力制御動作について説明する。
【００６６】
図４は、本発明の実施形態によるＩＥＥＥ８０２．１６ｍ通信システムにおけるＡＭＳの周期的レンジングプロセスアップリンク送信電力制御動作を示すフローチャートである。
【００６７】
図４を参照すると、ステップ４１１で、ＡＭＳは、ＡＢＳからブロードキャストするアップリンク送信電力制御方式に使用されるパラメータを受信し、ステップ４１３で、周期的レンジングコードを送信するために使用されるアップリンク送信電力Ｐを決定する。ステップ４１５で、ＡＭＳは、周期的レンジングオポチュニティーでアップリンク送信電力Ｐを使用して周期的レンジングコードを送信する。ＡＭＳは、ステップ４１７で、この送信した周期的レンジングコードに対する応答信号が所定の時間内にＡＢＳから受信されたか否かを検査する。この送信した周期的レンジングコードに対する応答信号が所定の時間内にＡＢＳから受信されなかった場合に、ＡＭＳは、ステップ４１９で、周期的レンジングプロセスに使用される単位送信電力Ｐ＿ＰｅｒｉｏｄｉｃＳｔｅｐだけ送信電力を増加させることにより送信電力Ｐをアップデートし、ステップ４１５で、この増加した送信電力Ｐを用いて周期的レンジングコードを再送信する。
【００６８】
ステップ４１７で、この送信した周期的レンジングコードに対する応答信号が所定の時間内にＡＢＳから受信される場合に、ＡＭＳは、ステップ４２１で、電力調整値ＤｅｌｔａＰｅｒｉｏｄｉｃＢＳがこの応答信号に含まれているか否かを検査する。電力調整値ＤｅｌｔａＰｅｒｉｏｄｉｃＢＳがこの応答信号に含まれている場合に、ＡＭＳは、ステップ４２３で、この周期的レンジングコードの再送信回数Ｎ、単位送信電力Ｐ＿ＰｅｒｉｏｄｉｃＳｔｅｐ、及び電力調整値ＤｅｌｔａＰｅｒｉｏｄｉｃＢＳを使用してＯｆｆｓｅｔの値をアップデートする。ＡＭＳは、ステップ４２７で、この送信した周期的レンジングコードに対する応答信号が成功状態を示すか否かを検査する。この応答信号が成功状態を示す場合に、ＡＭＳは、ステップ４２９に進む。他方、この応答信号が成功状態を示さない場合、すなわち、継続状態を示す場合に、ＡＭＳは、ステップ４１５に戻る。
【００６９】
ステップ４２１で、電力調整値ＤｅｌｔａＰｅｒｉｏｄｉｃＢＳがこの応答信号に含まれていない場合に、ＡＭＳは、ステップ４２５に進む。ステップ４２５で、ＡＭＳは、この周期的レンジングコードの再送信回数Ｎ及び単位送信電力Ｐ＿ＰｅｒｉｏｄｉｃＳｔｅｐを使用してＯｆｆｓｅｔの値をアップデートし、ステップ４２９に進む。ステップ４２９で、ＡＭＳは、Ｏｆｆｓｅｔのアップデート値をＡＢＳに通知する。
【００７０】
図５を参照して、本発明の実施形態によるＩＥＥＥ８０２．１６ｍ通信システムにおけるＡＢＳの帯域幅要求プリアンブルコード送信プロセスアップリンク送信電力制御動作について説明する。
【００７１】
図５は、本発明の実施形態によるＩＥＥＥ８０２．１６ｍ通信システムにおけるＡＢＳの帯域幅要求プリアンブルコード送信プロセスアップリンク送信電力制御動作を示すフローチャートである。
【００７２】
図５を参照すると、ステップ５１１で、ＡＢＳは、アップリンク送信電力制御方式に使用されるパラメータをブロードキャストする。ステップ５１３で、ＡＭＳから受信した帯域幅要求プリアンブルコードを検出すると、ＡＢＳは、ステップ５１５で、この検出した帯域幅要求プリアンブルコードの受信電力に基づいて電力調整値ＤｅｌｔａＢＷＲＥＱＢＳを決定し、ステップ５１７で、この決定した電力調整値ＤｅｌｔａＢＷＲＥＱＢＳをＡＭＳに送信する。ステップ５１９で、ＡＢＳは、ＡＭＳが通知したＯｆｆｓｅｔのアップデート値を受信する。
【００７３】
図６を参照して、本発明の実施形態によるＩＥＥＥ８０２．１６ｍ通信システムにおけるＡＭＳの帯域幅要求プリアンブルコード送信プロセスアップリンク送信電力制御動作について説明する。
【００７４】
図６は、本発明の実施形態によるＩＥＥＥ８０２．１６ｍ通信システムにおけるＡＭＳの帯域幅要求プリアンブルコード送信プロセスアップリンク送信電力制御動作を示すフローチャートである。
【００７５】
図６を参照すると、ステップ６１１で、ＡＭＳは、ＡＢＳからブロードキャストするアップリンク送信電力制御方式に使用されるパラメータを受信し、ステップ６１３で、帯域幅要求プリアンブルコードを送信するために使用するアップリンク送信電力Ｐを決定する。ステップ６１５で、ＡＭＳは、帯域幅要求プリアンブルコード送信オポチュニティーでアップリンク送信電力Ｐを使用して帯域幅要求プリアンブルコードを送信する。ＡＭＳは、ステップ６１７で、この送信した帯域幅要求プリアンブルコードに対する応答信号が所定の時間内にＡＢＳから受信されたか否かを検査する。この送信した帯域幅要求プリアンブルコードに対する応答信号が所定の時間内にＡＢＳから受信されなかった場合に、ＡＭＳは、ステップ６１９で、帯域幅要求プリアンブルコード送信プロセスで使用する単位送信電力Ｐ＿ＢＷＲＥＱＳｔｅｐだけ送信電力Ｐを増加させ、ステップ６１５で、この増加した送信電力Ｐを用いて帯域幅要求プリアンブルコードを再送信する。
【００７６】
ステップ６１７で、所定の時間内にこの送信した帯域幅要求プリアンブルコードに対する応答信号をＡＢＳから受信する場合に、ＡＭＳは、ステップ６２１で、電力調整値ＤｅｌｔａＢＷＲＥＱＢＳがこの応答信号に含まれるか否かを検査する。電力調整値ＤｅｌｔａＢＷＲＥＱＢＳがこの応答信号に含まれる場合に、ＡＭＳは、ステップ６２３で、帯域幅要求プリアンブルコードの再送信回数Ｎ、単位送信電力Ｐ＿ＢＷＲＥＱＳｔｅｐ、及び電力調整値ＤｅｌｔａＢＷＲＥＱＢＳを使用してＯｆｆｓｅｔの値をアップデートする。ＡＭＳは、ステップ６２７で、この送信した帯域幅要求プリアンブルコードに対する応答信号が成功状態を示すか否かを検査する。この応答信号が成功状態を示す場合に、ＡＭＳは、ステップ６２９に進む。他方、この応答信号が成功状態を示さない場合、すなわち、継続状態を示す場合に、ＡＭＳは、ステップ６１５に戻る。
【００７７】
ステップ６２１で、電力調整値ＤｅｌｔａＢＷＲＥＱＢＳがこの応答信号に含まれない場合に、ＡＭＳは、ステップ６２５に進む。ステップ６２５で、ＡＭＳは、帯域幅要求プリアンブルコードの再送信回数Ｎ及び単位送信電力Ｐ＿ＢＷＲＥＱＳｔｅｐを使用してＯｆｆｓｅｔの値をアップデートし、ステップ６２９で、ＡＭＳは、Ｏｆｆｓｅｔのアップデート値をＡＢＳに通知する。
【００７８】
図７を参照して、本発明の実施形態によるＩＥＥＥ８０２．１６ｍ通信システムにおけるＡＢＳの構成について説明する。
【００７９】
図７は、本発明の実施形態によるＩＥＥＥ８０２．１６ｍ通信システムにおけるＡＢＳの構成を示す図である。
【００８０】
図７を参照すると、ＡＢＳは、受信器７１１、制御器７１３、送信器７１５、及びメモリ７１７を含む。ＡＢＳは、本発明の実施形態の実現に必要でない他の構成要素を含んでもよく、これについては別途に図示しない。
【００８１】
制御器７１３は、ＡＢＳの全般的な動作を制御する。制御器７１３は、初期レンジングプロセスアップリンク送信電力制御方式、周期的レンジングプロセスアップリンク送信電力制御方式、及び帯域幅要求プリアンブルコード送信プロセスアップリンク送信電力制御方式に従ってＡＢＳのすべての動作を制御し、これについては上述したので、その詳細な説明を省略する。
【００８２】
また、制御器７１３は、初期レンジングプロセスアップリンク送信電力制御方式、周期的レンジングプロセスアップリンク送信電力制御方式、及び帯域幅要求プリアンブルコード送信プロセスアップリンク送信電力制御方式で送信器７１５を通してアップリンク送信電力を制御するのに必要な各種パラメータの送信を制御し、これについては上述したので、その詳細な説明を省略する。
【００８３】
受信器７１１は、この初期レンジングプロセスアップリンク送信電力制御方式、周期的レンジングプロセスアップリンク送信電力制御方式、及び帯域幅要求プリアンブルコード送信プロセスアップリンク送信電力制御方式を使用してアップリンク送信電力を制御するのに必要な各種パラメータをＡＭＳから受信し、これについては上述したので、その詳細な説明を省略する。メモリ７１７は、ＡＢＳの動作に必要な各種情報を記憶する。
【００８４】
受信器７１１、制御器７１３、送信器７１５、及びメモリ７１７が個別のユニットとして図７に示されているが、受信器７１１、制御器７１３、送信器７１５、及びメモリ７１７は、１個のユニットに組み込まれることもできることは自明である。
【００８５】
図８を参照して、本発明の実施形態によるＩＥＥＥ８０２．１６ｍ通信システムにおけるＡＭＳの構成について説明する。
【００８６】
図８は、本発明の実施形態によるＩＥＥＥ８０２．１６ｍ通信システムにおけるＡＭＳの構成を示すブロック図である。
【００８７】
図８を参照すると、ＡＭＳは、受信器８１１、制御器８１３、送信器８１５、及びメモリ８１７を含む。また、ＡＭＳは、本発明の実施形態の実現に必要でない他の構成要素を含んでもよく、これについては、図８に図示しない。
【００８８】
制御器８１３は、ＡＭＳの全般的な動作を制御する。制御器８１３は、初期レンジングプロセスアップリンク送信電力制御方式、周期的レンジングプロセスアップリンク送信電力制御方式、及び帯域幅要求プリアンブルコード送信プロセスアップリンク送信電力制御方式に従ってＡＭＳのすべての動作を制御し、これについては上述したので、その詳細な説明を省略する。
【００８９】
また、制御器８１３は、初期レンジングプロセスアップリンク送信電力制御方式、周期的レンジングプロセスアップリンク送信電力制御方式、及び帯域幅要求プリアンブルコード送信プロセスアップリンク送信電力制御方式で送信器８１５を通してアップリンク送信電力を制御するのに必要な各種パラメータの送信を制御し、これについては上述したので、その詳細な説明を省略する。
【００９０】
受信器８１１は、この初期レンジングプロセスアップリンク送信電力制御方式、周期的レンジングプロセスアップリンク送信電力制御方式、及び帯域幅要求プリアンブルコード送信プロセスアップリンク送信電力制御方式を使用してアップリンク送信電力を制御するのに必要な各種パラメータをＡＢＳから受信し、これについては上述したので、その詳細な説明を省略する。メモリ８１７は、ＡＭＳの動作に必要な各種情報を記憶する。
【００９１】
受信器８１１、制御器８１３、送信器８１５、及びメモリ８１７が個別のユニットとして図８に示されているが、受信器８１１、制御器８１３、送信器８１５、及びメモリ８１７は、１個のユニットに組み込まれることもできることは自明である。
【００９２】
一方、初期レンジングプロセスの実行に成功したＡＭＳは、上述したように、Ｏｆｆｓｅｔの初期値を決定した後に、ＣＤＭＡ割当てＡ−ＭＡＰ  ＩＥにより割り当てられたアップリンクリソースを使用してレンジング要求（Ranging Request：以下、“ＲＮＧ−ＲＥＱ”と称する。）メッセージを送信する。ＡＭＳは、ＡＭＳが決定したＯｆｆｓｅｔの初期値をＲＮＧ−ＲＥＱメッセージに含ませることにより、ＡＭＳが計算したアップリンク経路損失とダウンリンク経路損失間の差及びこのアップリンク経路損失とダウンリンク経路損失間の差を反映するＡＭＳの実際の送信電力を判定することができる。したがって、ＡＢＳは、正確にスケジューリングを実行することができる。本発明の実施形態によれば、ＡＭＳが初期レンジングプロセスに成功した後に、ＲＮＧ−ＲＥＱメッセージを通してＯｆｆｓｅｔの初期値を１回フィードバックすると仮定する。ここで、Ｏｆｆｓｅｔの初期値は、下記の表１に示すようなＩｎｉｔｉａｌ  Ｏｆｆｓｅｔ  ｆｏｒ ｕｐｌｉｎｋ  ｐｏｗｅｒ  ｃｏｎｔｒｏｌ（ＯｆｆｓｅｔＩｎｉｔｉａｌ）フィールドの形態でＲＮＧ−ＲＥＱメッセージに含まれ得る。
【００９３】
【表１】
0005858667.tif 000002
【００９４】
上述した表１において、Ｉｎｉｔｉａｌ  Ｏｆｆｓｅｔ  ｆｏｒ  ｕｐｌｉｎｋ  ｐｏｗｅｒ  ｃｏｎｔｒｏｌ（ＯｆｆｓｅｔＩｎｉｔｉａｌ）は、電力レベル、例えば、５ビットで特定する。また、Ｉｎｉｔｉａｌ  Ｏｆｆｓｅｔ  ｆｏｒ  ｕｐｌｉｎｋ  ｐｏｗｅｒ
ｃｏｎｔｒｏｌ（ＯｆｆｓｅｔＩｎｉｔｉａｌ）により示される電力レベルは、初期レンジングプロセスの実行に成功したＡＭＳにより決定される。
【００９５】
以上、本発明を具体的な実施形態を参照して詳細に説明してきたが、本発明の範囲及び趣旨を逸脱することなく様々な変更が可能であるということは、当業者には明らかであり、本発明の範囲は上述の実施形態に限定されるべきではなく、特許請求の範囲の記載及びこれと均等なものの範囲内で定められるべきである。
【符号の説明】
【００９６】
７１１  受信器
７１３  制御器
７１５  送信器
７１７  メモリ
８１１  受信器
８１３  制御器
８１５  送信器
８１７  メモリ
【図１】
0005858667.tif 000003
【図２】
0005858667.tif 000004
【図３】
0005858667.tif 000005
【図４】
0005858667.tif 000006
【図５】
0005858667.tif 000007
【図６】
0005858667.tif 000008
【図７】
0005858667.tif 000009
【図８】
0005858667.tif 000010